(57)【要約】【課題】ヘッドマウントディスプレイのフェイスパッドの汚れを防ぎ、ヘッドマウントディスプレイ装着時にズレにくいシートに於いて、固定するときの位置決めをし易く、被せる時に絡みにくい形状及び装着方法を提供する。【解決手段】ヘッドマウントディスプレイのフェイスパッドを覆う防汚用シートに於いて、シート下部の形状をヘッドマウントディスプレイ下部の形状と一致させ、一旦逆向きに固定することで位置決めをし易くし、かつ装着時に絡みにくい形状および装着方法とした。【選択図】図１０
2020136862.tif 000002
【特許請求の範囲】
【請求項１】
ヘッドマウントディスプレイのフェイスパッドに汚れが付着する事を防止するシートで、目出し部分上部及び下部にヘッドマウントディスプレイに固定する為の突出形状を持ち、かつこの突出形状部分をヘッドマウントディスプレイ上部及び下部に固定器具を用いて固定して用いる防汚用シートに於いて、シートにおける下側の突出形状部分である一端部がヘッドマウントディスプレイ下側に固定され、折り返されてフェイスパッドを包み込み、シートにおける上側の突出形状部分である他端部がヘッドマウントディスプレイ上部に固定された状態となる事を特徴とするヘッドマウントディスプレイ防汚用シート。
【請求項２】
請求項１の防汚用シートに於いて、防汚用シートを折り返した際にシートの目出し部分がちょうどヘッドマウントディスプレイのレンズ部分に位置するように、防汚用シートをヘッドマウントディスプレイ下面の基準位置に正確に固定できる様、シート切断断面の形状をヘッドマウントディスプレイ下部のいずれかの部品形状と一致する様に裁断した事を特徴とするヘッドマウントディスプレイ防汚用シート。
【請求項３】
請求項1及び請求項2の防汚用シートに於いて、この防汚用シートをヘッドマウントディスプレイに装着する際、一旦逆向きになる様に固定し、折り返してフェイスパッドを包み込むように装着する事を特徴とするヘッドマウントディスプレイ防汚用シートの装着方法。
【発明の詳細な説明】
【技術分野】
【０００１】
本発明は、ヘッドマウントディスプレイの肌に触れる部分に汚れ等が付着する事を防ぐためのシートに関するものである。
【背景技術】
【０００２】
バーチャルリアリティの体験に於いて、ゴーグル型のヘッドマウントディスプレイ（図１）が用いられる。
【０００３】
ヘッドマウントディスプレイは、左右のレンズ14の周りにウレタンやスポンジ等のクッション性をもった素材で形成されたフェイスパッド11と、ヘッドマウントディスプレイを頭部に固定するための側頭部固定ベルト12及び頭頂部固定ベルト13で構成されている。これらにより、ヘッドマウントディスプレイが顔面に密着し、周囲からの光を妨げる事で仮想空間への没入感を増している。
【０００４】
ヘッドマウントディスプレイはイベントや展示会、ショールーム等でのバーチャルリアリティ体験などで用いられる事が多く、多数の体験者が連続して使用する状況では、肌に密着する部分（フェイスパッド11及びヘッドマウントディスプレイを頭部に固定するためのベルト）に皮脂や化粧品等が付着し、衛生上の問題が生じる。それを防止するため、不織布等を使った使い捨てマスクが発明されている。
【先行技術文献】
【特許文献】
【０００５】
【特許文献１】特許第6330159号
【発明の概要】
【発明が解決しようとする課題】
【０００６】
従来の使い捨てマスクは、マスクの左右に設けられた耳掛け等を用い、最初に体験者の顔面にマスクを装着してからヘッドマウントディスプレイを被って使用するものである。装着時にヘッドマウントディスプレイのフェイスパッド11がマスクに接触し、フェイスパッド11とマスクの間に生じた摩擦力21によって、マスクを下に押し下げる力22が発生し、マスクが下にズレてしまう。（図３）
その為、何度もヘッドマウントディスプレイを被り直す必要が生じてしまい、装着に時間が掛かっていた。
【０００７】
特許文献１の防汚用シート（図４）は、装着時のズレを防止する為、目出し部分の上下部にヘッドマウントディスプレイに固定する為の突出形状（ヘッドマウントディスプレイ上部固定部分42、ヘッドマウントディスプレイ下部固定部分43）を設け、この突出形状をヘッドマウントディスプレイ上面下面に指で押さえつけて用いる、もしくは固定器具で固定して用いる事を特徴とした。
これにより装着時のズレは軽減できるようになったが、シートの形状が複雑な為、ヘッドマウントディスプレイの側頭部固定ベルト12及び頭頂部固定ベルト13とシートの突出形状が絡まり易く、ヘッドマウントディスプレイにシートを被せるまでに時間が掛かってしまうという欠点があった。
【０００８】
本発明は、ヘッドマウントディスプレイを体験者頭部に装着する際にズレにくい防汚用シートに於いて、前述の課題を解決し、ヘッドマウントディスプレイにシートを被せ易く、かつ正確な位置に簡単に固定できるように、そのシート形状および装着方法について考案されたものである。
【課題を解決するための手段】
【０００９】
本発明に係る防汚用シートは、ヘッドマウントディスプレイ上面及び下面に面ファスナーもしくは繰り返し接着可能な粘着テープで固定して用いる。ヘッドマウントディスプレイ下面の固定器具にフェイスパッドとは逆向きにシートを固定し、固定部分を基点としてシートを折り曲げ、フェイスパッドを包み込む様にシートを回し込み、ヘッドマウントディスプレイ上面の固定器具で固定する。
【００１０】
また、シート下端部の切断面形状は、ヘッドマウントディスプレイ下部のいずれかの部品形状に合わせた形状とする。
【発明の効果】
【００１１】
本発明によれば、防汚用シートをヘッドマウントディスプレイに固定する際、最初にシートをヘッドマウントディスプレイ下面にフェイスパッドと逆向きに配置し、その固定部分を基点としてシートを折り曲げ、フェイスパッドを包み込む様にシートをヘッドマウントディスプレイ上部に回し込み、ヘッドマウントディスプレイ上面の固定器具で固定する。シートをヘッドマウントディスプレイ上部に回し込む際、ヘッドマウントディスプレイ下面の固定部分がシートに程良い張力を与える為、シートが撚れるのを防ぎ、ヘッドマウントディスプレイ左右の側頭部固定ベルト及び上部の頭頂部固定ベルトとシートが絡まる事無く固定できる。
【００１２】
また、シート下端部の切断面形状をヘッドマウントディスプレイ下部のいずれかの部品に合わせた形状とする事で、シートをヘッドマウントディスプレイ下部に逆向きに配置する際、シートの下端部切断面形状をヘッドマウントディスプレイの部品形状に合わせる様に配置すれば、シートの目出し穴がちょうどヘッドマウントディスプレイのレンズの位置にくる様な正確な位置決めを簡単に行う事ができる。
【図面の簡単な説明】
【００１３】
【図１】ヘッドマウントディスプレイ
【図２】従来のマスクの課題（ヘッドマウントディスプレイ装着前）
【図３】従来のマスクの課題（ヘッドマウントディスプレイ装着後）
【図４】特許文献１の防汚用シート
【図５】特許文献１の防汚用シートの使用例（下面）
【図６】特許文献１の防汚用シートの使用例（上面）
【図７】本発明に係る防汚用シートの形状
【図８】ヘッドマウントディスプレイ下面に取り付けた固定器具
【図９】防汚用シートをヘッドマウントディスプレイ下面の基準位置に固定した状態
【図１０】防汚用シートが基準位置に固定された状態を斜め下から見た図
【図１１】防汚用シートを折り曲げた状態をヘッドマウントディスプレイ下面から見た図
【図１２】フェイスパッドを包み込むように防汚用シートをヘッドマウントディスプレイ上面に回し込む
【図１３】防汚用シートのヘッドマウントディスプレイ上部固定部分をヘッドマウントディスプレイ上部に折り曲げる
【図１４】図13をヘッドマウントディスプレイ上部方向から見た図
【図１５】防汚用シートのヘッドマウントディスプレイ上部固定部分をヘッドマウントディスプレイ上面に固定した状態
【図１６】図15をヘッドマウントディスプレイの真上から見た図
【図１７】防汚用シートを装着した状態のヘッドマウントディスプレイ側断面
【発明を実施するための形態】
【００１４】
防汚用シートは、たとえば不織布のような柔らかく加工しやすく、かつ安価な素材で形成されている。
【００１５】
防汚用シートは図7のような形状で、ヘッドマウントディスプレイのフェイスパッド11を覆う目出し部分71とヘッドマウントディスプレイ下面固定部分72とヘッドマウントディスプレイ上面固定部分73で構成される。
【００１６】
目出し部分71は、横幅200ｍｍ前後、高さ幅100ｍｍ前後の長方形もしくは楕円形等の横長形状で、中央に幅10ｍｍ〜20mm程度の橋梁部72を残して左右に両目を露出できる様な横幅70ｍｍ前後、高さ幅40ｍｍ前後の長方形もしくは楕円形の開口部73および開口部74を設ける。
【００１７】
橋梁部72は、シートをヘッドマウントディスプレイに固定する際の変形を軽減させる役目を果たすが、橋梁部72を無くし、開口部73と開口部74を繋げた１つの開口部としても良い。
【００１８】
ヘッドマウントディスプレイ下部固定部分75は、目出し部分71下端の突出部分であり、その切断面形状はヘッドマウントディスプレイ下部のいずれかの部品形状に合わせた曲線もしくは直線とする。
図8は、その具体例である。防汚用シートを上下逆にしたときのシート端部切断面形状84は、ヘッドマウントディスプレイ下部部品（例えばフェイスパッドの鼻付近の部品）の形状85と一致する様に切断されている。
【００１９】
図9の様に、防汚用シート端部切断面形状82とヘッドマウントディスプレイ下部部品の形状83が合せ位置92で接する様に置いたとき（基準位置）、フェイスパッド表面と目出し部分71下端までの距離の1/2（＝L1）の位置にヘッドマウントディスプレイ下面固定器具の一辺が一致するような位置（固定器具位置91）に固定器具81を設置する。
【００２０】
従って、防汚用シートのヘッドマウントディスプレイ下部固定部分75の目出し部分71下端からの長さは、L1以上、L1×2以下である。
【００２１】
なお、ヘッドマウントディスプレイの機種により、0019で記述したヘッドマウントディスプレイ下部の部品形状や基準位置が異なる為、ヘッドマウントディスプレイの機種毎に端部の切断面形状とL1の長さを変更する必要があるが、共通のシート形状で複数のヘッドマウントディスプレイ機種に対応出来る様に合わせ位置を防汚用シートの複数個所に設け、機種毎に合せ位置を選択するようにしても良い。
【００２２】
ヘッドマウントディスプレイ上部固定部分76は、目出し部分71上端から上に突出した部分である。
ヘッドマウントディスプレイ上部固定部分76はヘッドマウントディスプレイのフェイスパッド表面からヘッドマウントディスプレイ上面に設けた固定器具端部までの長さがあれば十分であるが、それより長くても良い。
【実施例】
【００２３】
最初にヘッドマウントディスプレイ下面に固定器具（面ファスナーもしくは繰り返し接着可能な粘着テープ）を面接触状に取り付ける。図8は、ヘッドマウントディスプレイ下面81に固定器具83を貼り付けた状態の図である。固定器具83は一直線上に取り付けても、フェイスパッドのカーブに合わせて少し斜めに取り付けても良い。
【００２４】
本発明に係る防汚用シートを基準位置に固定する。すなわち、防汚用シートを上下逆様にして、ヘッドマウントディスプレイ下面に取り付けた固定器具83に、防汚用シートのヘッドマウントディスプレイ下部固定部分を押し付け、固定する。その際、シート端部切断面形状84をヘッドマウントディスプレイ下部の部品形状85に合わせた位置に配置する事で、正確に基準位置に固定する事ができる。図9は、合せ位置92に於いて防汚用シートの端部切断面形状84とヘッドマウントディスプレイ下部部品の形状85が一致する様に固定された状態を示した図である。なお、防汚用シートに表裏の区別がある場合、表面（ヘッドマウントディスプレイを頭部に装着した時、顔面に触れる側の面）を固定器具83に取り付ける。
【００２５】
図10に於いて、防汚用シートのヘッドマウントディスプレイ上部固定部分を持ち、折り曲げ軸102（固定器具の一辺に相当する軸）を中心にして防汚用シートをヘッドマウントディスプレイのレンズ側に折り曲げる。図11は、折り曲げた状態をヘッドマウントディスプレイ真下から見た図である。
【００２６】
図12に於いてフェイスパッドを包み込むように防汚用シートをヘッドマウントディスプレイ上部に回し込む。図13は防汚用シートがフェイスパッドを覆う様に被さっているいる状態を示した図である。この時、防汚用シートに表裏がある場合、表面が外側を向く事になる。
【００２７】
さらに、図13に於いて防汚用シートのヘッドマウントディスプレイ上部固定部分76をヘッドマウントディスプレイ上面に回し込む。その時、図14の様に防汚用シートの額部凹み78がヘッドマウントディスプレイの頭頂部固定ベルトを跨ぐように、かつ防汚用シートがフェイスパッドに密着する様にある程度の張力をかけながらヘッドマウントディスプレイ上面に被せる。図15は、防汚用シートがヘッドマウントディスプレイに被せられた状態を示した図である。
【００２８】
ヘッドマウントディスプレイ上面部には、図16の様に固定器具164（面ファスナーもしくは繰り返し接着可能な粘着テープ）が取り付けられており、これに固定する事で防汚用シートがフェイスパッド162を覆った状態を保持できる。防汚用シートはフェイスパッド162の曲面に添って密着しており、ヘッドマウントディスプレイ上部固定部分163はヘッドマウントディスプレイの頭頂部固定ベルトを挟んで左右に少し開いた位置で固定されている。
【００２９】
図17は、0023〜0028の手順でヘッドマウントディスプレイに装着された防汚用シートの状態をヘッドマウントディスプレイの側面から見た断面図である。防汚用シート175は、ヘッドマウントディスプレイ下面に取り付けられた固定器具173でヘッドマウントディスプレイ下面に固定され、折り返し部分176で折り返された後、フェイスパッド172を包み込んでヘッドマウントディスプレイ上面に取り付けられた固定器具174でヘッドマウントディスプレイ上面に固定されている。
【００３０】
本発明によれば、ヘッドマウントディスプレイに防汚用シートを装着する際、目出し部分が正確にレンズの位置に来るように位置決めができ、また装着時にシートの突出部分が側頭部固定ベルトや頭頂部固定ベルトに絡まる事も軽減できる為、短時間でVR体験の準備を行う事ができる。
【産業上の利用可能性】
【００３１】
本発明の防汚用シートは、ヘッドマウントディスプレイのフェイスパッド11を覆うように使用する事で、ヘッドマウントディスプレイのフェイスパッド11に汚れ等が付着する事を防ぐ防汚用シートとして利用する事ができる。不織布等の加工しやすい素材を使用する事で、容易に大量生産でき、安価に提供する事ができる。
【符号の説明】
【００３２】
11  フェイスパッド
12  側頭部固定ベルト
13  頭頂部固定ベルト
14  レンズ
21  フェイスパッドとマスクとの間の摩擦力
22  マスクを押し下げる力
41  目出し部分
42  ヘッドマウントディスプレイ下部固定部分
43  ヘッドマウントディスプレイ上部固定部分
71  目出し部分
72  橋梁部
73  開口部
74  開口部
75  ヘッドマウントディスプレイ下部固定部分
76  ヘッドマウントディスプレイ上部固定部分
77  鼻部切込み
78  額部凹み
81  ヘッドマウントディスプレイ（下面）
82  防汚用シート
83  固定器具
84  シート端部切断面形状
85  ヘッドマウントディスプレイ下部部品の形状
91  固定器具位置
92  合わせ位置
101  固定器具位置
102  折り曲げ軸
111  固定器具位置
161  ヘッドマウントディスプレイ（上面）
162  フェイスパッド
163  ヘッドマウントディスプレイ上部固定部分
171  ヘッドマウントディスプレイ（側断面）
172  フェイスパッド（断面）
173  ヘッドマウントディスプレイ下面に取り付けられた固定器具
174  ヘッドマウントディスプレイ上面に取り付けられた固定器具
175  ヘッドマウントディスプレイに装着された防汚用シート
176  下面固定器具に固定された防汚用シートが折り返されている部分
【図１】
2020136862.tif 000003
【図２】
2020136862.tif 000004
【図３】
2020136862.tif 000005
【図４】
2020136862.tif 000006
【図５】
2020136862.tif 000007
【図６】
2020136862.tif 000008
【図７】
2020136862.tif 000009
【図８】
2020136862.tif 000010
【図９】
2020136862.tif 000011
【図１０】
2020136862.tif 000012
【図１１】
2020136862.tif 000013
【図１２】
2020136862.tif 000014
【図１３】
2020136862.tif 000015
【図１４】
2020136862.tif 000016
【図１５】
2020136862.tif 000017
【図１６】
2020136862.tif 000018
【図１７】
2020136862.tif 000019